(57)【特許請求の範囲】
【請求項１】
押し入れ内の空間を左右に区分する間仕切り壁部を有し、
区分された押し入れ内の一方側の空間を、一又は二以上の固定棚板により、上下に区分すると共に、
区分された押し入れ内の他方側の空間を、その入り口側を吊り下げ収納領域として、その奥側を載置収納領域として、使用可能としており、
前記吊り下げ収納領域に臨む間仕切り壁部と押し入れの側壁との間に、架設位置を上下方向に調整可能で且つ取り外し可能に、上側ハンガーバーと下側ハンガーバーとを架設させていると共に、
前記載置収納領域に臨む間仕切り壁部と押し入れの側壁との間に、架設位置を上下方向に調整可能で且つ取り外し可能に複数の可動棚板を架設させており、
しかも、前記間仕切り壁は、天板と左右の側板とを備えて押し入れ内に設置される箱状体の前記左右の側板の一方によって構成されると共に、
前記固定棚板は、前記間仕切り壁部側においては、前記固定棚板間において前記間仕切り壁部の面に張り込まれた補強板の上端によって支持されるようになっていることを特徴とする押し入れ構造。
【請求項２】
区分された押し入れ内の一方側の空間を区分する最下段の固定棚板は押し入れの底面からの距離を６５０ｍｍ〜７５０ｍｍの範囲とするレベルにあり、この最下段の固定棚板上の空間が枕棚となる固定棚板により上下に区分されていることを特徴とする請求項１に記載の押し入れ構造。
【請求項３】
吊り下げ収納領域における上側ハンガーバーの架設位置より後方において、この吊り下げ収納領域に臨む間仕切り壁部と押し入れの側壁との間に、架設位置を上下方向に調整可能に、中間ハンガーバーを架設させていることを特徴とする請求項１又は請求項２に記載の押し入れ構造。
【発明の詳細な説明】
【技術分野】
【０００１】
この発明は、住宅の一部をなす押し入れの構造に関する。
【背景技術】
【０００２】
住宅の押し入れは、布団の収納を前提として設置されるものであるため、収納空間としては比較的奥行きが大きい。（通常７５０ｍｍ〜８００ｍｍの奥行きがある。）また、押し入れの内部は、通常は固定棚板により上下に単純に区分されるに過ぎない。このため、布団に加えてそれ以外の物を同時に押し入れに収納しようとする場合、押し入れ内部の空間を有効に利用し難い場合も少なくない。特に、布団以外の物はそれを押し入れの奥側に収納してしまうと取り出し難くなることから、出し入れが比較的頻繁になされる物については押し入れの入り口側に収納せざるを得ず、押し入れの奥側の空間は有効活用されていない場合が少なくない。
【発明の概要】
【発明が解決しようとする課題】
【０００３】
この発明が解決しようとする主たる問題点は、住宅の押し入れを、有効且つ合理的に利用できるようにする点にある。
【課題を解決するための手段】
【０００４】
前記課題を達成するために、この発明にあっては、押し入れ構造を、押し入れ内の空間を左右に区分する間仕切り壁部を有し、
区分された押し入れ内の一方側の空間を、一又は二以上の固定棚板により、上下に区分すると共に、
区分された押し入れ内の他方側の空間を、その入り口側を吊り下げ収納領域として、その奥側を載置収納領域として、使用可能としており、
前記吊り下げ収納領域に臨む間仕切り壁部と押し入れの側壁との間に、架設位置を上下方向に調整可能で且つ取り外し可能に、上側ハンガーバーと下側ハンガーバーとを架設させていると共に、
前記載置収納領域に臨む間仕切り壁部と押し入れの側壁との間に、架設位置を上下方向に調整可能で且つ取り外し可能に複数の可動棚板を架設させており、
しかも、前記間仕切り壁は、天板と左右の側板とを備えて押し入れ内に設置される箱状体の前記左右の側板の一方によって構成されると共に、
前記固定棚板は、前記間仕切り壁部側においては、前記固定棚板間において前記間仕切り壁部の面に張り込まれた補強板の上端によって支持されるようになっているものとした。
【０００５】
前記間仕切り壁により区分された押し入れ内の一方側の空間には、これを上下に区分する固定棚板を利用して、布団や収納ボックスなどの押し入れの奥行きの活用しないと適切に収納し難い物を収納することができる。一方、前記間仕切り壁により区分された押し入れ内の他方側の空間では、吊り下げ領域を利用して押し入れの入り口側では衣服などを出し入れし易い状態で収納でき、且つ、載置収納領域を利用して押し入れの奥側では押し入れの奥行きの概ね半分以下の寸法があれば収納に支障のない物を収納することができる。吊り下げ収納領域では、上側ハンガバーと下側ハンガーバーとにより、上下二段に衣服などを吊り下げた状態で収納することができる。載置収納領域は、複数の可動棚板により、必要に応じて上下に分割でき、様々な物を適切に同時に収納することができる。吊り下げ収納領域には衣服などが吊り下げた状態で収納されるに留まるため、載置収納領域へは、この吊り下げ収納領域に吊り下げられている衣服などをよせるなどすることで、支障少なくアクセス可能となる。
【発明の効果】
【０００６】
この発明によれば、住宅の押し入れを、有効且つ合理的に利用可能なものとすることができる。
【図面の簡単な説明】
【０００７】
【図１】図１は実施の形態にかかる押し入れの正面構成図である。
【図２】図２は図１の押し入れの横断面構成図である。
【図３】図３は図１の押し入れにおける間仕切り壁部を挟んだ右側の空間の縦断面構成図である。
【図４】図４は図１の押し入れにおける間仕切り壁部を挟んだ左側の空間の縦断面構成図である。
【図５】図５は上側ハンガーパイプ及び下側ハンガーパイプを支持するホルダーの正面構成図である。
【図６】図６は図５のホルダーの取り付け状態を示した正面構成図である。
【図７】図７は可動棚板の支持状態を示した要部破断正面構成図である。
【図８】図８は図１の押し入れの構成の一部を変更してなる押し入れにおける間仕切り壁部を挟んだ左側の空間の縦断面構成図である。
【発明を実施するための形態】
【０００８】
以下、図１〜図８に基づいて、この発明の典型的な実施の形態について、説明する。この実施の形態にかかる押し入れ構造は、住宅、すなわち、一戸建て住宅や集合住宅の押し入れ１に適用されて、この押し入れ１を有効且つ合理的に利用できるようにするものである。
【０００９】
かかる押し入れ構造は、押し入れ１内の空間を左右に区分する間仕切り壁部１０を有している。
【００１０】
図示の例では、押し入れ１は、天面１ａと、底面１ｂと、左右の側壁１ｃ、１ｃと、奥壁１ｄとにより構成されている。図示の例では、押し入れ１の入り口１ｅは、引き戸１ｇにより開放可能に閉塞されるようになっている。かかる入り口１ｅは吊り戸によって閉塞しても良く、また、開き戸や折り戸などの適宜の戸体によって閉塞して構わない。また、図示の例では、押し入れ１の側壁１ｃ及び奥壁１ｄの上端よりも入り口１ｅの上端１ｆが下方に位置されており、入り口１ｅの上方には下がり壁２が形成されている。図中符号３は前記入り口１ｅの上端１ｆに取り付けられた前記引き戸１ｇに対する鴨居であり、符号４は敷居である。
【００１１】
図示の例では、間仕切り壁部１０は、押し入れ１の入り口１ｅの高さと略等しい高さと、押し入れ１の奥行きと略等しい幅とを備えた板材によって構成されている。かかる間仕切り壁部１０は、押し入れ１の側壁１ｃと平行をなす。図示の例では、間仕切り壁部１０によって区分された押し入れ１内の右側の空間５’の左右寸法は、折りたたんだ布団の幅寸法よりもやや大きい寸法となっているのに対し、間仕切り壁部１０によって区分された押し入れ１内の左側の空間６’の左右寸法は前記右側の空間５’の左右寸法の約半分となっている。前記のように図示の例では、２枚の引き戸１ｇ、１ｇにより押し入れ１の入り口１ｅを塞ぐようになっているが、この入り口１ｅは前記左側の空間６’の左右寸法と等しい寸法を備えた３枚の引き戸（図示は省略する。）により塞ぐようにもすることができ、この場合、左側の空間６’を塞ぐ一枚の引き戸を右側に移動すればこの左側の空間６’のみを都合良く開放でき、また、右側の空間５’を塞ぐ二枚の引き戸を左側の空間６’を塞ぐ一枚の引き戸に重なる位置まで左側に移動すればこの右側の空間５’のみを都合良く開放することができる。
【００１２】
図示の例では、前記間仕切り壁部１０となる板材を右側の側板１１ａとし、かつ、この間仕切り壁部１０となる板材と同一の板材を左側の側板１１ｂとするように構成された箱状体１１を押し入れ１内に設置することで、押し入れ１内に前記間仕切り壁部１０を備えさせるようにしている。かかる箱状体１１は、前記左右の側板１１ａ、１１ｂの上端間に亘る天板１１ｃと、前記左右の側板１１ａ、１１ｂの後端間に亘る桟材１１ｄとにより、かかる左右の側板１１ａ、１１ｂを連結させてなる。天板１１ｃは前後寸法を側板１１ａの前後寸法よりも小さくする。天板１１ｃの後端は側板１１ａ、１１ｂの後端と同面上に位置されており、天板１１ｃの前端と側板１１ａ、１１ｂの前端との間において箱状体１１の上部は開放されている。（図２）桟材１１ｄは、前記天板１１ｃに隣接した位置と、側板１１ａ、１１ｂの下端側と、側板１１ａ、１１ｂの上下方向中程の位置とにそれぞれ設けられている。また、側板１１ａ、１１ｂの上下方向略中程の位置には、左右の側板１１ａ、１１ｂ間に亘って固定棚板１１ｅが備えられている。この固定棚板１２は、前後寸法を天板１１ｃの前後寸法の約半分とすると共に、その後端を側板１１ａ、１１ｂの後端と同面上に位置させている。そして、図示の例では、かかる箱状体１１は、その左側の側板１１ｂを押し入れ１の左側の側壁１ｃに接しさせた状態で、押し入れ１内に配され且つ固定されている。すなわち、図示の例では、箱状体１１の左側の側板１１ｂはその設置状態において押し入れ１の左側の側壁１ｃと一体となる。
【００１３】
また、この実施の形態にかかる押し入れ１構造は、前記間仕切り壁部１０により区分された押し入れ１内の一方側の空間５、図示の例では前記右側の空間５’を、複数の固定棚板１２により、上下に区分している。図示の例では、かかる右側の空間５’は、三枚の固定棚板１２…１２によって、上下方向においてさらに四つに区分されている。各固定棚板１２は、前記間仕切り壁部１０と、この右側の空間５’に臨んだ押し入れ１の側壁１ｃとの間に亘る左右寸法を有している。図示の例では、前記間仕切り壁部１０は固定棚板１２を支えるに充分な強度を持った構造ではないことから、押し入れ１の底面１ｂと最下段の固定棚板１２ａとの間、最下段の固定棚板１２ａと中段の固定棚板１２ｂとの間、中段の固定棚板１２ｂと最上段の固定棚板１２ｃとの間においてそれぞれ、一方の空間５側に臨んだ間仕切り壁部１０の面には補強板１１ｆが張り込まれており、この間仕切り壁部１０側においてはこの補強板１１ｆの上端によっても各固定棚板１２が支持されるようになっている。図中符号１３は、かかる間仕切り壁部１０と側壁１ｃとの間に架設された桟材１３である。また、各固定棚板１２の後端はいずれも押し入れ１の奥壁１ｄに接するようになっている。
【００１４】
最下段の固定棚板１２ａは、押し入れ１の奥行きと略等しい前後寸法を有している。この最下段の固定棚板１２ａ上に設置される中段の固定棚板１２ｂは、前記箱状体１１の天板１１ｃの前後寸法と略等しくする。これにより、この中段の固定棚板１２ｂは枕棚として機能するようになっている。最上段の固定棚板１２ｃは押し入れ１の入り口１ｅの上端１ｆと略同じレベルに位置されると共に、その前後寸法を中段の固定棚板１２ｂの前後寸法よりも小さくしている。図示の例では、この最上段の固定棚板１２ｃを利用して、押し入れ１の入り口１ｅの上端１ｆ上の空間７に物を載置収納することができるようになっている。
【００１５】
この実施の形態にあっては、前記最下段の固定棚板１２ａは押し入れ１の底面１ｂからの距離を６５０ｍｍ〜７５０ｍｍの範囲とするレベルにあると共に、この最下段の固定棚板１２ａ上の空間が前記枕棚となる中段の固定棚板１２ｂにより上下に区分されている。
【００１６】
一般的な押し入れ１の最下段の棚板は押し入れ１の底面１ｂからの距離を８００ｍｍ以上とするレベルにあるが、これであると平均的な身長の女性の場合、この最下段の棚板上に一組目の布団Ｆは容易に載置できるが、その上にさらに二組目の布団Ｆを載置するのは載置レベルが一組目の布団Ｆで高くなってしまうため困難となる。したがって、前記右側の空間５’を上下に区分する最下段の固定棚板１２ａは押し入れ１の底面１ｂからの距離を７５０ｍｍ以下とするレベルに設置することが好ましい。かかる最下段の固定棚板１２ａをこのように７５０ｍｍ以下のレベルに設置することで、この最下段の固定棚板１２ａ上の空間を前記中段の固定棚板１２ｂにより、この中段の固定棚板１２ｂと最下段の固定棚板１２ａとの間に数組の布団Ｆを支障なく収納可能な空間を形成させた状態で、また、前記中段の固定棚板１２ｂ上にも平均的な身長の女性の手が届きやすい状態で、さらに区分させることができる。一方で、この最下段の固定棚板１２ａを押し入れ１の底面１ｂからの距離を６５０ｍｍ未満とするレベルに設置してしまうと、この最下段の固定棚板１２ａ下の空間が狭くなりすぎ、特に一般的な収納ボックスＨを二段重ねで入れ難くなる。以上のことから、前記のように最下段の固定棚板１２ａは押し入れ１の底面１ｂからの距離を６５０ｍｍ〜７５０ｍｍの範囲とするレベルに設置することが最適と認められた。典型的には、最下段の固定棚板１２ａを押し入れ１の底面１ｂからの距離を７００ｍｍとするレベルに設置した場合、中段の固定棚板１２ｂを押し入れ１の底面１ｂからの距離を概ね１６５０ｍｍとするレベルに設置し、最上段の固定棚板１２ｃを押し入れ１の底面１ｂからの距離を概ね２０００ｍｍとするレベルに設置するのが好適と認められた。
【００１７】
また、この実施の形態にかかる押し入れ１構造は、前記間仕切り壁部１０により区分された押し入れ１内の他方側の空間６を、押し入れ１の入り口１ｅ側を吊り下げ収納領域８として、押し入れ１の奥側を載置収納領域９として、使用可能としている。そして、前記吊り下げ収納領域８に臨む間仕切り壁部１０と押し入れ１の側壁１ｃとの間に、架設位置を上下方向に調整可能で且つ取り外し可能に、上側ハンガーバー１４と下側ハンガーバー１５とを架設させている。それと共に、前記載置収納領域９に臨む間仕切り壁部１０と押し入れ１の側壁１ｃとの間に、架設位置を上下方向に調整可能で且つ取り外し可能に複数の可動棚板１６…１６を架設させている。
【００１８】
図示の例では、前記左側の空間６’の押し入れ１の入り口１ｅ側が上下方向に亘って吊り下げ収納領域８となっている。上側ハンガーバー１４及び下側ハンガーバー１５はそれぞれ、前記箱状体１１を構成する天板１１ｃの前端よりも前方において、この箱状体１１を構成する左右の側板１１ａ、１１ｂ間に架設されるようになっている。また、上側ハンガーバー１４は前記側板１１ａ、１１ｂの上端側に配され、下側ハンガーバー１５は前記側板１１ａ、１１ｂの上下方向略中程の位置に配されている。
【００１９】
図示の例では、かかる上側ハンガバー及び下側ハンガーバー１５はそれぞれ、丸パイプにより構成されている。また、両ハンガーバー１４、１５共に、その右端を間仕切り壁部１０となる側板１１ａに取り付けられるホルダー１７に支持され、また、その左端を前記箱状体１１の左側の側板１１ｂ（つまり、押し入れ１の左側の側壁１ｃ）に取り付けられるホルダー１７に支持されるようになっている。かかるホルダー１７は、基板部１７ａの前面に正面視の状態でＵ字状を呈する受け部１７ｂを一体に突設させてなる。（図５）かかるホルダー１７は基板部１７ａの背面に上下二箇所にダボ部１７ｃを有しており、吊り下げ収納領域８に臨んだ前記側板１１ａに形成させた複数のダボ穴１８のうちの上下に隣り合う二つのダボ穴１８、１８にそれぞれ対応するダボ部１７ｃを差し込むことで側板１１ａに対して取り付け位置調整可能に取り付けられるようになっている。かかるホルダー１７の受け部１７ｂにこの受け部１７ｂの開放箇所を通じて上方から前記両ハンガーバー１４、１５の端部を入れ込むことで両ハンガーバー１４、１５は前記吊り下げ収納領域８に臨む間仕切り壁部１０と押し入れ１の側壁１ｃとの間に取り外し可能で且つその架設位置を上下方向に調整可能に架設されている。
【００２０】
また、図示の例では、前記左側の空間６’の押し入れ１の奥側が上下方向に亘って載置収納領域９となっている。複数の可動棚板１６…１６はそれぞれ、前記箱状体１１を構成する固定棚板１２と同寸同形に構成されている。また、各可動棚板１６はそれぞれ、その左右両端部にそれぞれ、下方からダボピン１９を受け入れる凹部１６ａ（図７）を前後に有している。前記箱状体１１を構成する左右の側板１１ａ、１１ｂにはそれぞれ、上下方向に亘ってダボ穴１８が形成されており、このダボ穴１８に嵌め込んだダボピン１９の突きだし部分を可動棚板１６の前記凹部１６ａに納めることで、各可動棚板１６は前記載置収納領域９に臨む間仕切り壁部１０と押し入れ１の側壁１ｃとの間に取り外し可能で且つその架設位置を上下方向に調整可能に架設されている。
【００２１】
図示の例では、前記箱状体１１を構成する天板１１ｃと固定棚板１１ｅとの間においては、可動棚板１６はこの天板１１ｃの直下において多段に架設されるようになっている。一方、固定棚板１１ｅよりも下方においては、可動棚板１６は固定棚板１１ｅの直下において多段に架設されるようになっていると共に、固定棚板１１ｅの前端を通る仮想の鉛直線ｘと前記両ハンガーバー１４、１５の架設位置を通る仮想の鉛直線ｘ’との間の領域においても多段に架設できるようになっている。（図４）
【００２２】
前記間仕切り壁部１０により区分された押し入れ１内の一方側の空間５には、これを上下に区分する固定棚板１２を利用して、布団Ｆや収納ボックスＨなどの押し入れ１の奥行きの活用しないと適切に収納し難い物を収納することができる。一方、前記間仕切り壁部１０により区分された押し入れ１内の他方側の空間６では、吊り下げ領域を利用して押し入れ１の入り口１ｅ側では衣服Ｃなどを出し入れし易い状態で収納でき、且つ、載置収納領域９を利用して押し入れ１の奥側では押し入れ１の奥行きの概ね半分以下の寸法があれば収納に支障のない物を収納することができる。吊り下げ収納領域８では、上側ハンガーバー１４と下側ハンガーバー１５とにより、上下二段に衣服Ｃなどを吊り下げた状態で収納することができる。載置収納領域９は、複数の可動棚板１６により、必要に応じて上下に分割でき、様々な物を適切に同時に収納することができる。吊り下げ収納領域８には衣服Ｃなどが吊り下げた状態で収納されるに留まるため、載置収納領域９へは、この吊り下げ収納領域８に吊り下げられている衣服Ｃなどをよせるなどすることで、支障少なくアクセス可能となる。なお、図示の例では、下側ハンガーバー１５に衣服Ｃを吊り下げる場合には、前記二つの仮想の鉛直線ｘ、ｘ’間にある領域にある可動棚板１６は取り外すようになっている。
【００２３】
図８は、前記吊り下げ収納領域８における上側ハンガーバー１４の架設位置より後方において、この吊り下げ収納領域８に臨む間仕切り壁部１０と押し入れ１の側壁１ｃとの間に、架設位置を上下方向に調整可能に、さらに中間ハンガーバー２０を架設させた例を示している。図示の例では、かかる中間ハンガーバー２０も上側ハンガーバー１４と同様に前記ホルダー１７により前記と同じように架設されるようになっている。また、図示の例では、中間ハンガーバー２０の架設位置は、下側ハンガーバー１５の架設位置より上方であるが、上側ハンガーバー１４の架設位置より常にやや下方となるようにしてある。このようにした場合、吊り下げ収納領域８に吊り下げた状態で収納される物の量を、その出し入れに難を生じさせない態様で効果的に増大させることができる。なお、図示の例では、中間ハンガーバー２０に衣服Ｃを吊り下げる場合には、前記固定棚板１２上にある可動棚板１６は取り外すようになっている。
【符号の説明】
【００２４】
１  押し入れ
１ｃ  側壁
１ｅ  入り口
５  一方側の空間
６  他方側の空間
８  吊り下げ収納領域
９  載置収納領域
１０  間仕切り壁部
１２  固定棚板
１４  上側ハンガーバー
１５  下側ハンガーバー
１６  可動棚板
【図１】
0005797054.tif 000002
【図２】
0005797054.tif 000003
【図３】
0005797054.tif 000004
【図４】
0005797054.tif 000005
【図５】
0005797054.tif 000006
【図６】
0005797054.tif 000007
【図７】
0005797054.tif 000008
【図８】
0005797054.tif 000009